(57)【特許請求の範囲】
【請求項１】
軸受け部を有する第１の筐体と、
レールを有する第２の筐体と、
前記第１及び第２の筐体を開閉可能に連結する可動ヒンジとからなり、
前記可動ヒンジは、
前記レールに沿ってスライド可能なスライド用接続部と、
前記軸受け部に離脱不可能に挿入され、前記第１の筐体に対して回転可能な回転用接続部と、
両接続部に設けられた電気端子と、
それぞれの電気端子を連結する配線素材とを有し、
前記回転用接続部は、さらに、
前記配線素材を挿入するために中空状となった軸部と、
前記第一の筐体が有するギア用スライドボードに咬合可能に形成されたギア部とを有し、
前記軸部内の配線素材の末端部にある電気端子と、前記第１の筐体の有する電気配線が接続されるとともに、
前記第１及び前記第２の筐体が、前記可動ヒンジを介して折り畳み可能であり、かつ、前記レールに沿ってスライド可能に連結することを特徴とする携帯端末。
【請求項２】
前記スライド用接続部が有する電気端子と、前記レールが有する第二の筐体の電気配線の末端部である電気端子は、それぞれ互いに咬合可能な複数対の電気接点を形成し、接続されることで、前記可動ヒンジと前記第２の筐体は、電気的にかつスライド可能に接続されることを特徴とする請求項１に記載の携帯端末。
【請求項３】
前記ギア部は、前記ギア用スライドボードに咬合することにより、第１の筐体に対する前記可動ヒンジの回転が、前記ギア部を介してギア用スライドボードに伝達されることを特徴とする請求項３に記載の携帯端末。
【請求項４】
前記携帯端末は、前記可動ヒンジの両接続部の各筐体に対する接続状態から、現在の携帯端末の形状を検知する端末形状検知部を有することを特徴とする請求項１ないし３のいずれか１項に記載の携帯端末。
【請求項５】
前記携帯端末が有する前記端末形状検知部は、前記可動ヒンジの回転用接続部と、
前記回転用接続部が挿入される回転用接続部受け部を有する筐体との相対角度（回転角度）を読み取ることを特徴とする請求項６に記載の携帯端末。
【請求項６】
前記端末形状検知部は、前記第１の筐体に対する前記可動ヒンジの回転量が伝達される前記ギア用スライドボードの移動量から、前記第１の筐体に対する前記可動ヒンジの回転角度として検知することを特徴とする請求項５に記載の携帯端末。
【請求項７】
前記携帯端末が有する前記端末形状検知部は、前記スライド用接続部に接続される前記レール上の位置を検知可能であることを特徴とする請求項４ないし６のいずれか一項に記載の携帯端末。
【請求項８】
前記端末形状検知部は、前記レールの有する前記電気端子と、前記可動ヒンジの有する電気端子との間に生じる電気抵抗の変化より、前記レール上の前記可動ヒンジの位置を検知することを特徴とする請求項７に記載の携帯端末。
【請求項９】
前記端末形状検知部で検知された前記携帯端末の形状に対応して、前記携帯端末が有する制御部は、現在の携帯端末の形状に応じて端末の機能の制御を行うことを特徴とする請求項６ないし１０のいずれか１項に記載の携帯端末。
【請求項１０】
前記制御とは、検知された端末の形状に対応させた機能の実現、表示部の表示内容の変更、入力部のキー入力内容の変更を含む端末の有する機能すべての制御であることを特徴とする請求項９に記載の携帯端末。
【請求項１１】
前記端末形状検知部は、検知された端末の形状に応じて、実現される機能を制限し、それと共に、端末上のキー操作部のそれぞれのキーに割り当てられた入力内容を前記実現される機能に対応させて変更することを特徴とする請求項９ないし１１のいずれか１項に記載の携帯端末。
【請求項１２】
前記端末形状検知部は、
検知された端末の形状に変化が生じた場合、現在実現されている機能に対する操作および調整を、変化の内容に対応させて行うことを可能とする請求項９ないし１１のいずれか１項に記載の携帯端末。
【請求項１３】
第２の筐体が有するレールに対してスライド可能に連結するスライド用接続部と、
第一の筐体が有する軸受け部に離脱不可能に挿入され、前記第１の筐体に対して回転可能な回転用接続部と、
両接続部に設けられた電気端子と、
それぞれの電気端子を連結する配線素材とを有し、
前記回転用接続部は、さらに、
前記配線素材を挿入するために中空状となった軸部と、
前記第一の筐体が有するギア用スライドボードに咬合可能に形成されたギア部とを有し、
前記軸部内の配線素材の末端部にある電気端子と、前記第１の筐体の有する電気配線が接続されるとともに、
前記第一及び前記第二の筐体を折り畳み可能に、かつ前記レールに沿ってスライド可能に連結することを特徴とする可動ヒンジ。
【請求項１４】
前記スライド用接続部が有する前記電気端子はくし状の突起を複数個有し、前記レールの有する同数個の電気端子とが、互いに咬合することで、複数対の電気接点を形成し、スライド可能に接続することを特徴とする請求項１３に記載の可動ヒンジ。
【発明の詳細な説明】
【技術分野】
【０００１】
本発明は、可動ヒンジを持つ携帯端末であり、携帯端末の折畳みとスライドの両方の動作を可能にすることにより、形態の変形に伴って複数の機能の実現環境を提供可能である携帯型携帯端末に関する。
【背景技術】
【０００２】
従来の携帯端末、たとえば、折畳み型携帯電話機の場合、折畳み状態においては、表示画面が折畳んだ内側にあり、通常の待ち受け状態の閉じた状態においては、表示画面の確認ができなかった。このため、待ち受け中の閉じた状態でも、携帯電話機の表示画面が確認可能となるように、通常の閉じた状態において、表示画面が表側に露出した形態が考えられてきた。すなわち、一方の筐体を他方の筐体に対してスライドするスライド型携帯電話機（特許文献１；特願２００３−２９８６９号公報）や、一方の筐体の表示画面を内側に向けて他方の筐体側に閉じる状態と、その表示画面を外側に向けて閉じる状態の二つの形状が可能な２軸回転ヒンジ型携帯電話機（特許文献２；特開２００２−１３５３８０号公報）が登場した。
【０００３】
【特許文献１】特願２００３−０２９８６９号公報
【特許文献２】特開２００２−１３５３８０号公報
【発明の開示】
【発明が解決しようとする課題】
【０００４】
しかし、かかる構成にすると以下のような問題点を生ずる。
特許文献１記載のスライド型端末の場合にはスライド縮退状態の場合でも、表示画面が表側に露出しており、表示内容は確認容易であるが、逆にプライベート保持のために、表示画面を表側に向けたくない場合や、外部衝撃で表示画面が破損するなどの問題がある。
【０００５】
また、特許文献２記載の２軸ヒンジ型携帯電話機は、２つの筐体を折り畳んでいる時、マイクとスピーカが重なってしまい、通話することが極めて困難となってしまう。
【０００６】
そこで、通話に支障が出ないように、重なる形態をとる場合には、携帯電話機の筐体の別の箇所に設けられたスピーカを併用、もしくは開閉に応じてレシーバとマイクの機能を切替える必要があった。
【０００７】
ここで、本発明の目的は上述のような課題を解決するための、端末の形状、及びその形状における機能の実現を可能とする携帯端末の構成を提供することにある。
【課題を解決するための手段】
【０００８】
本発明の携帯端末は、軸受け部を有する第１の筐体と、レールを有する第２の筐体と、第１及び第２の筐体を開閉可能に連結する可動ヒンジとからなり、可動ヒンジは、レールに沿ってスライド可能なスライド用接続部と、軸受け部に離脱不可能に挿入され、第１の筐体に対して回転可能な回転用接続部と、両接続部に設けられた電気端子と、それぞれの電気端子を連結する配線素材とを有し、回転用接続部は、さらに、配線素材を挿入するために中空状となった軸部と、第一の筐体が有するギア用スライドボードに咬合可能に形成された電気端子であるギア部とを有し、軸部内の配線素材の末端部にある電気端子と、第１の筐体の有する電気配線が接続されるとともに、第１及び第２の筐体が、可動ヒンジを介して折り畳み可能であり、かつ、レールに沿ってスライド可能に連結することを特徴とする。
【０００９】
本発明の可動ヒンジは、第２の筐体が有するレールに対してスライド可能に連結するスライド用接続部と、第一の筐体が有する軸受け部に離脱不可能に挿入され、第１の筐体に対して回転可能な回転用接続部と、両接続部に設けられた電気端子と、それぞれの電気端子を連結する配線素材とを有し、回転用接続部は、さらに、配線素材を挿入するために中空状となった軸部と、第一の筐体が有するギア用スライドボードに咬合可能に形成されたギア部とを有し、軸部内の配線素材の末端部にある電気端子と、第１の筐体の有する電気配線が接続されるとともに、第一及び第二の筐体を折り畳み可能に、かつレールに沿ってスライド可能に連結することを特徴とする。
【発明の効果】
【００１１】
本発明の携帯端末は、閉状態から開状態に展開した展開状態から、二つの筐体間をスライドさせることによって、端末を縮減する（閉状態にする）、もしくは、最初に二つの筐体間をスライドさせ、伸展状態にしたあと、ヒンジを介して折畳むことが可能となる。
【００１２】
なぜなら、本発明の携帯端末は、可動ヒンジと、その可動ヒンジをスライド可能に連結するレールを含むからである。
【発明を実施するための最良の形態】
【００１３】
以下、本発明の実施の形態について、図面を用いて詳細に説明する。
なお、ここでは携帯端末の一例として携帯型移動通信端末１（以下、単に端末と称す。）について説明する。
図１（ａ）は、本発明の実施の形態における端末１の構成を示すブロック図である。
【００１４】
図１（ａ）を参照すると、端末１は、表示部２と、入力部３と、アンテナ４と、メモリ５と、端末形状検知部１３を備える制御部６と、無線部７と、変復調部８と、ベースバンド処理部９と、音声入力部としてのマイク１０と、スピーカ１１と、カメラ１２とから構成される。
【００１５】
図１（ｂ）に示される制御部６は、送受信処理を含む携帯端末全体の制御を行う主制御部６ａと、端末の形状を認知する端末形状検知部１３を有し、端末形状検知部１３によって検知された形状に応じて、主制御部６ａが機能の制御を行う。メモリ５は、端末１の動作、制御に必要なシステムプログラム、デ−タを記録している。主制御部６ａはメモリ５のプログラムを実行する。表示部２では制御部６の制御により、様々な表示内容が表示される。
【００１６】
ここで、端末形状検知部１３は、端末１の後述する２つの筐体間に対して、一方を回動可能に、他方をスライド可能に接続する可動ヒンジの２つの接続部によって、両筐体間が接続されている接続状態を読み取る可動ヒンジ回転角度検出部２２と、可動ヒンジ位置検出部２３を有する。
【００１７】
この両検出部から得られた情報より端末１が、可動ヒンジ回転角度検出部２２から検知される開状態か閉状態かの情報のみではなく、可動ヒンジ位置検出部２３から検知される筐体間のスライド状態も検知される。これにより端末形状検知部１３は、検知情報を主制御部６ａに出力し、主制御部６ａは端末の形状を検知し、その検知情報に応じた表示内容及び機能を実現させる。
【００１８】
無線部７は、アンテナ４からの受信信号をフィルタリング処理し、また送信信号を増幅してアンテナ４へ出力する。
【００１９】
変復調部８は、受信信号をＲＦ処理し、復調して受信ベースバンド信号に変換する。また、送信用ベースバンド信号を変調して送信信号に変換し無線部７に送信する。
【００２０】
ベースバンド処理部９は、受信ベースバンド信号を復号化して音声信号を生成し、スピーカ１１に出力して音声を再生する。また、変復調部８からの受信ベースバンド信号のうち、音声以外の画像、メ−ル等のデ−タに関しては、制御部６により読み出され、表示部２や後述するメモリ５に出力される。さらに、ベースバンド処理部９は、マイク１０から入力された音声を符号化し、送信用ベースバンド信号を生成する。音声以外の送信デ−タは制御部６から供給されて必要な処理を施し、ベースバンド処理部９を経由して変復調部８に出力される。
【００２１】
カメラ１２は制御部６によって制御され、そのデ−タはメモリ５に記録される。
図２（ａ）は、第１の閉状態のときの端末１の正面図、（ｂ）は側面図、（ｃ）は背面図である。端末１は上部筐体１４と下部筐体１５を含み、上部筐体１４が、下部筐体１５に対し、可動ヒンジ２０を介してスライド及び折畳み（回転）可能に連結している。
【００２２】
上部筐体１４の正面（内側）には、入力された信号を映し出す表示部２、通話時に音声を出力するスピーカ１１を有し、上部筐体１４の側面には、図２（ａ）〜（ｃ）に示されるとおり、様々な入力が可能な側面キー３ａ，３ｂ，３ｃ，３ｄを有してもよい。
【００２３】
また、下部筐体１５の正面には、数字を入力するテンキー３ｅ、様々な入力が可能な機能キー３ｆ、音声を入力するマイク１０を有し、側面には、可動ヒンジ２０が移動するレール２１（図２（ｂ））、背面には、カメラ１２（図２（ｃ））が備わっている。
【００２４】
マイク１０は下部筐体１５の下端近傍に位置し、スピーカ１１は上部筐体１４の上端近傍に位置する。
【００２５】
なお、上記の側面キー３ａ〜３ｄ、テンキー３ｅ、機能キー３ｆすべてを含めて入力部３とする。
【００２６】
また、ここでは、表示部２を有する筐体を上部筐体１４、マイク１０、入力部３を有する筐体を下部筐体１５とするが、表示部２、マイク１０、入力部３は、いずれの筐体に備わっていてもよい。
【００２７】
レール２１は下部筐体１５の両側面に直線状に設置されている。ここでレール２１の向きを明確にするために図２（ｂ）に示すように、マイク設置部分に近いレール２１の端部を、下端部１７、反対側の端部を、上端部１６とし、動作及び状態を説明する。
【００２８】
すなわち、図２（ｂ）において、可動ヒンジ２０は、レール２１の上端部１６に配置された状態のまま上部筐体１４を下部筐体１５に対しておよそ１６０°展開させた、いわば通常の展開状態となる。この展開方法により、上部筐体の表示部２、下部筐体の入力部３が同一方向から視認可能な形態となり、これを、第１の開状態と称する。また、端末１は、次の第１の閉状態と第２の閉状態を可能とする。
【００２９】
第１の閉状態とは、表示部２を有する上部筐体１４の表示部側と、入力部３を有する下部筐体１５の入力部側を共に内側に重ねて折畳んだ形状を示す。
【００３０】
第２の閉状態とは、表示部２を有する上部筐体１４の表示部側が外に向けられており、第１の閉状態の時の一方の筐体の正面、背面が逆になった状態であり、表示部２を正面（外側）にして上部筐体１４を入力部３の上に重ね合わせて折畳んだ形状を示す。
【００３１】
図３（ａ），（ｂ），（ｃ）は、端末１の取りうる様々な状態を示す右側面図である。
図３（ａ）に示す動作２０１は、端末１を第１の閉状態から、可動ヒンジ２０をレール２１の上端部１６に固定したまま１６０°まで展開した状態（第１の開状態）である。この動作は、従来の折畳み型携帯端末の開閉動作と同じである。
【００３２】
図３（ｂ）に示す動作２０２は、動作２０１の第１の開状態から可動ヒンジ２０がレール２１の上端部１６から下端部１７までスライドし、可動ヒンジ２０が下端部１７に達したときに二つの筐体を重ね合わせて閉じるまでの流れを示す。上部筐体１４が、表示部２を正面側（外側）になるようにして重ね合わせて閉じた状態は前述の第２の閉状態となる。
【００３３】
さらに、図３（ｃ）に示す動作２０３では、動作２０２の第２の閉状態から、レール２１の下端部１７から上端部１６まで可動ヒンジ２０をスライドさせて伸展状態（第２の開状態と称する。）になる様子を示している。
【００３４】
すなわち、第１の開状態において、下部筐体１５の入力部３を含む面の上を、上部筐体１４をレール２１に沿って上下にスライドさせるのみで、第１の開状態から第１の閉状態へ状態を変化させられる形状となる。
【００３５】
また、図４は第２の閉状態から、上部筐体１４を、下部筐体１５に対し、レールの下端部１７からわずかに上端部１６方向へスライドさせた時の端末１を示す正面図である。
【００３６】
本実施の形態の端末１は、様々な形状における通話が可能である。たとえば図３（ａ）の１６０度展開させた開状態、及びその開状態から、完全に展開させた第１の開状態（図３（ｃ））でも、第２の閉状態から、少しスライドを行った図４に示す形態でも通話が可能である。図４に示す形態の場合、上部筐体１４をわずかにスライドさせているため、下部筐体１５のマイク１０は正面から見て、上部筐体１４に隠れない位置にあり、かつ、マイク１０と上部筐体１４のスピーカ１１の距離が一定間隔離れているため、通常の通話を妨げない形状を取りうることが可能である。
【００３７】
次に、本発明の端末を構成する可動ヒンジ２０について図５から図１０を用いて説明する。
図５（ａ）は可動ヒンジ２０を拡大した正面図、（ｂ）は（ａ）のＡ−Ａ‘断面図である。図５（ａ）、（ｂ）に示されるように、可動ヒンジ２０は、上部筐体１４を回転可能に接続する回転用接続部２０１と、下部筐体１５のレール２１と連結してスライド可能に接続するスライド用接続部２０２とを備えており、両接続部は配線素材２０３を介して電気的に接続されている。
【００３８】
この可動ヒンジ２０は、端末１の上部筐体１４の回転用接続部受け部に、後述する回転用接続部２０１が、下部筐体１５の両側面のレール２１とスライド用接続部２０２が電気的、機械的に接合し、二つの接続部を有する可動ヒンジ２０より上部筐体１４、下部筐体１５が、回転もしくはスライド可能に接続される。
【００３９】
これにより、可動ヒンジ２０によって、上部筐体１４と下部筐体１５とを機械的だけではなく、電気的にも接続可能となっている。
【００４０】
図６は、この両接続部２０１、２０２が、それぞれ２つの筐体に接続されている状態を示すものであり、端末の形状が、図３（ｃ）に示す形状のときである。すなわち第１の開状態において、上部筐体１４と下部筐体１５か一部重なり合っている端末形状におけるヒンジ部分の拡大図として、図６に示している。また、図７（ａ）はスライド用接続部２０２におけるＡ−Ａ‘断面図である。なお、図中、図面の向きがわかりやすいよう３次元の座標軸Ｘ、Ｙ、Ｚを示している。
【００４１】
可動ヒンジ２０のスライド用接続部２０２は、下部筐体１５の側壁面の内側にあるレール２１と接続されており、レール２１の上端部１６（図３）から下端部１７に沿ってスライドする。
【００４２】
図７（ａ）は、可動ヒンジ２０のスライド用接続部２０２がレール２１に差し込まれて、接続されている部位の拡大断面図でもある。図中のＥ字形状となった格子柄部分が、可動ヒンジ２０のスライド用接続部２０２である。また、図７（ａ）の斜線部分のうちの図の左側に突出した部分はレール２１であり、下部筐体１５に埋め込まれている。図７（ｂ）は、図７（ａ）の枠Ａの電気端子２０２ａの拡大図である。スライド用接続部２０２の内側に有する電気端子２０２ａに咬合するようにレール２１上に設けられた電気端子２０２ｄは、下部筐体１５の電気回路と連結している電気配線２０４と接続されている。
【００４３】
また、電気端子２０２ａは、可動ヒンジ２０の配線素材２０３に接続され、回転用接続部２０１を介して上部筐体１４の回路と接続される。したがって、複数対の電気端子２０２ａ、２０２ｄのうち、一対の電気端子はたとえば、下部筐体１５の入力部３から入力された信号が、上部筐体１４が有する表示部２に表示する内容を制御する信号の入出力経路として用いられることとなる。
【００４４】
このようにレール２１とスライド用接続部２０２は、それぞれくし状の凸凹の形状を取る複数対の電気端子２０２ａおよび０２ｄを有し、互いに対向する電気端子２０２ｄおよび２０２ａ（信号線）と通電するように一対毎に重なっている。図７（ｂ）において電気端子２０２ｄは、漏電防止のため対応する信号線以外の信号線に接触する部分の面に、導電部分２０２ｂが形成され、それ以外は絶縁物質からなる絶縁部分２０２ｃが形成されている。これにより異なる対の電気端子の絶縁が保たれている。
【００４５】
図８は、レール２１上をスライドする可動ヒンジ２０のスライド用接続部２０２が、レール２１の電気端子２０２ａと噛み合っている部分を示す透過斜視図である。ただし、この向きは図６のものと逆になっている。また上部筐体１５を省略している。
【００４６】
このように、可動ヒンジ２０のスライド用接続部２０２が、レール２１をスライドすることで、可動ヒンジ２０と下部筐体１５は互いにスライドすることになる。
【００４７】
なお、スライド用接続部２０２の形態は、一例であり、可動ヒンジ２０と下部筐体１５が互いにスライド可能であればいずれの形態でもよい。
【００４８】
図９（ａ）は、図６の回転用接続部２０１におけるＢ―Ｂ’断面図、（ｂ）は図６のＣ−Ｃ’断面図である。
【００４９】
可動ヒンジ２０の回転用接続部２０１は、図９（ｂ）にあるとおり軸部２０１ａと軸部２０１ａの先端に軸部２０１ａの直径より大きいギアの形状を取るギア部２０１ｂとからなる。
【００５０】
また上部筐体１４の側面には、回転用接続部２０１の軸部２０１ａを通すための穴状の回転用接続部受け部２０１ｃが設けられており、その内部にはギア部２０１ｂの凸凹に合わせてかみ合うギア用スライドボード２０１ｄが設けられている。
【００５１】
可動ヒンジ２０からの配線素材２０３は、例えば、中空の筒状である軸部内部に挿入される。そしてこの配線素材２０３の末端が電気端子２０２ａを形成しており、上部筐体１４にある各電気回路に連結する電気配線２０２ｅと接続されている。
【００５２】
ここで、上部筐体１４内部のギア用スライドボード２０１ｄは、ギア部２０１ｂとかみ合い、回転力に応じて、図９におけるＺ方向に移動可能に上部筐体１４に結合されている。
【００５３】
この回転用接続部受け部２０１ｃは、回転用接続部２０１の軸部２０１ａの直径より大きく、ギア部２０１ｂの直径より小さく、そのため、回転用接続部２０１が上部筐体１４から抜け落ちることはない。
【００５４】
また、可動ヒンジ２０の回転用接続部２０１は、可動ヒンジ２０に対して回転しないよう固定されている。
【００５５】
これにより、上部筐体１４と下部筐体１５の間に生じる回転とは、可動ヒンジ２０の回転用接続部２０１の有するギア部２０１ｂと、上部筐体１４内にあるギア用スライドボード２０１ｄ間の回転となる。
【００５６】
すなわち、下部筐体１５に回転不可に接続している可動ヒンジ２０と、上部筐体１４の間で生じた回転は、可動ヒンジ２０の有する回転用接続部２０１のギア部２０１ｂに伝わり、そのギア部２０１ｂとかみ合うギア用スライドボード２０１ｄに伝わる。
【００５７】
ここで、ギア部２０１ｂから伝わった回転力を受けて、上部筐体１４内のギア用スライドボード２０１ｄは、ギア部２０１ｂとかみ合ったまま、図９におけるＺ方向の上下にスライドする。
【００５８】
したがって、ギア用スライドボード２０１ｄは、伝わってきたギア部２０１ｂの上部筐体１４に対する回動に合わせてスライド移動することにより、可動ヒンジ２０と上部筐体１４が回転可能に接続されることになる。
【００５９】
また、回転用接続部受け部２０１ｃによって、軸部２０１ａがぶれないように固定されているため、上述の上部筐体１４に対するギア部２０１ｂの回転量はそのまま、ギア用スライドボード２０１ｄの移動量となり、この移動量より可動ヒンジ２０の回転用接続部２０１に対する筐体１４の角度を検出することが可能となる。
【００６０】
すなわち、この移動量を可動ヒンジ位置検出部２３によって検知し、この情報に基づいて、端末形状検知部１３の可動ヒンジ回転角度検出部２２は、可動ヒンジ２０と上部筐体１４との接続状態を検出する。
【００６１】
ここで、接続状態の検知方法について、例示して説明する。
スライド用接続部２０２においては、レール２１上が通電されており、端末形状検知部１３にある可動ヒンジ位置検出部２３により、レール２１の上端部１６から下端部１７にかけてスライドするスライド用接続部２０２の接続点における電気抵抗の変化を読み取る。
【００６２】
そこで、この電気抵抗の変化より、レール２１上で接するスライド用接続部２０２の位置を検出可能となる。この位置の検出情報は、端末形状検知部１３で、可動ヒンジ２０の接続状態を認知するための情報となる。
【００６３】
回転用接続部２０１では、ギア部２０１ｂの外周の凸凹が３６個である場合は、１回転で３６０度であるため、１つの凸凹あたり１０度の傾きとなる。そのため、回転用接続部２０１と上部筐体１４間で１８０度回転させた場合、回転用接続部２０１はギア用スライドボード２０１ｄ上を半回転し、従って前記回転用接続部２０１にかみ合うギア用スライドボード２０１ｄの前記凸凹部が、１８個分移動したことになる。
【００６４】
そのため、１８個分移動したギア用スライドボード２０１ｄの移動量により、可動ヒンジ回転角度検出部２２は、回転用接続部２０１が１８０度回転したことを検出する。
【００６５】
さらにギア用スライドボード２０１ｄに、回転用接続部２０１の凸凹部分がかみ合い固定されるため、上部筐体１４を段階的に展開し、その形状で固定することを可能としている。
【００６６】
そのため、例えば図３（ａ）の動作２０１の動作を数段階に分けて固定することも可能となる。
【００６７】
なお、本実施の形態においては、回転用接続部２０１をギアの形状として図示しているが、回転用接続部２０１は、可動ヒンジ２０と上部筐体１４を回動可能に接続できる形状であればカムフォロア状などギア状に限らなくてもよい。
【００６８】
次に、端末１の端末形状による機能制御・制限について説明する。
【００６９】
本発明の端末１は、端末形状検知部１３を有し、可動ヒンジ２０にある回転用接続部２０１の回転角度を読み取る可動ヒンジ回転角度検出部２２、及びスライド用接続部２０２のレール２１上に対する接続位置を読み取る可動ヒンジ位置検出部２３からの情報によって、端末１の形状を検知可能である。
【００７０】
さらに、端末形状検知部１３はメモリ５に設定されている設定機能を、現在の端末１の形状に応じて実現する機能の種別を表示部２及び入力部３に反映させる。
【００７１】
この端末の形状及び、そのときのそれぞれの接続部における検知内容、実現機能別の一覧表として図１１に示す。
【００７２】
例えば端末１の形状は、第２の閉状態でスライドされる度合いにより図１０の通り、（ａ）マイク１０部分を残して、閉じている状態、（ｂ）途中まで開いている状態、（ｃ）完全に開いている状態に大別できる。
【００７３】
そして、（ａ）の状態ではメール機能・ネット機能・カメラ機能などが使用可能、（ｂ）の状態では（ａ）の状態に加え、TV機能・リモコン機能など、（ｃ）の状態では（ａ）及び（ｂ）の状態の機能に加え、電話機能・メール作成などが使用可能になるよう、制御部６により実現機能の制御が行える。
【００７４】
このように、端末形状に応じた機能を、入力部３それぞれに割り当てられた機能も含めて、ユーザが設定可能とする一覧表形式で予め設定し、メモリ５に記憶させることが可能である。これにより、制御部６は、端末１が有する機能すべての中から、端末形状検知部１３において検知された端末１の形状から設定された機能の実現及び、各入力部３の入力内容の割当てを実現された機能に対応させて変更することができ、操作性が向上する。
【００７５】
すなわち、図１０（ｂ）の状態では、入力部３の有する複数の入力キーのうち、露出した入力キーのみで操作可能な機能を実現することで、操作中の端末１の小型化、及び操作性の向上を図る。
【００７６】
この実現機能の設定に関して、可動ヒンジ回転角度検出部２２と、可動ヒンジ位置検出部２３から読み取った回転用接続部２０１、スライド用接続部２０２の接続状態の情報、その情報より端末形状検知部１３で得た端末形状に関する情報、さらに端末形状の情報より制御部６で設定される、その時点の形状における端末１の実現機能をそれぞれ一覧表として示した図１１を用いて説明する。
【００７７】
たとえば、端末１の形状が、図４に示されるような第２の閉状態の場合、端末形状検知部１３では、回転用接続部２０１は１８０度に開かれており、可動ヒンジ２０の位置は、下端部１７にあると検知する。
【００７８】
また、この状態において、主制御部６ａは、端末１において実現可能な機能は、メール、ネット閲覧機能およびカメラ撮影機能であると認識し、各機能の動作を許可する。
【００７９】
本例は一例であり、多数の選択が考えられる。また、端末１の持つ機能すべてが設定可能であり、またこれらの機能制御の内容は、ユーザによって変更可能である。
【００８０】
また、静止状態の端末１の形状の検知から実現機能の設定を行うだけではなく、端末１の動的な構造変化を、端末形状検知部１３によって読み取り、それに応じて特定の機能を実現することも可能とする。
【００８１】
例えば、インターネットサイトを閲覧する際、図１２に示されるように、レール２１上のスライド用接続部２０２の位置変化の情報を元に、画面の上下スクロール機能を実現させることも可能である。
【００８２】
すなわち、制御部６より、筐体をスライドさせることにより、可動ヒンジ２０のスライド用接続部２０２が、レール２１の下端部１７から上端部１６に向けて移動しているという動的な位置変化の情報を得た端末形状検知部１３は、現在実現している機能に対し、このスライド変化によるスクロールや機能の調整を行うものである。
【００８３】
例えば、図１２では、表示部２における情報閲覧の際に位置変化に応じた表示内容のスクロールの様子を図示しているが、他の機能においても、同様にスライド変化及びその変化量の情報を用いて、カメラ撮影モードにおいては、撮像範囲の拡大縮小、さらに着信メロディや通話等の音量調整の設定画面においては、端末１をスライドさせて音量を調整するなど、ボリュームつまみの機能を持たせることも可能である。
【００８４】
また、ここでは回動可能に接続する回転用接続部２０１は上部筐体１４の回転用接続部受け部２０１ｃと、スライド可能に接続するスライド用接続部２０２は下部筐体１５の側壁面のレール２１に接続されるが、これらの接続部は上部筐体１４、下部筐体１５いずれ側に接続されてもよく、例えば、接続可能であれば１つの可動ヒンジのみでもかまわない。
【００８５】
また、可動ヒンジ２０を介して展開可能となる形態であれば、レール２１は、側壁面でなく、筐体の平面上に設けられていてもよい。
【００８６】
以上説明したように、本発明では、可動ヒンジ２０と、可動ヒンジ２０がスライド可能なレール２１を有する筐体により、筐体と筐体の間をスライド、もしくは折畳みの両方の動作を行うことが可能となり、従って、現在の端末にはない操作性と、使用の利便性を提供することが可能となる。
【図面の簡単な説明】
【００８７】
【図１】（ａ）は本発明の実施の形態の携帯型携帯端末１の電気回路系を示すブロック図、（ｂ）は、該携帯端末の制御部６の構成を示すブロック図である。
【図２】本発明の実施の形態の展開状態を示す外観図であり、（ａ）正面図を示し、（ｂ）は側面図、及び（ｃ）は背面図である。
【図３】（ａ）は本発明の実施の形態の展開状態の流れを示す動作２０１、（ｂ）は展開状態から、縮減状態への流れを示す動作２０２、（ｃ）は第２の閉状態から伸展状態の流れを示す動作２０３の、それぞれの側面図のイメ−ジ図である。
【図４】第２の閉状態から、少しスライドさせた形状の外観図である。
【図５】（ａ）は本発明の実施の形態にある可動ヒンジの正面図であり、（ｂ）は（ａ）のＡ−Ａ‘断面図である。
【図６】可動ヒンジの接続部がそれぞれ、上部筐体、下部筐体と接続された部分の拡大透過斜視図のイメージ図である。
【図７】（ａ）は図６のスライド用接続部におけるＡ−Ａ‘断面図であり、（ｂ）は（ａ）の枠部分Ａの拡大図である。
【図８】図７の斜視図で、スライドさせた場合のイメージ図である。
【図９】（ａ）は図６の回転用接続部におけるＢ−Ｂ‘断面図であり、（ｂ）はＣ−Ｃ’断面図である。
【図１０】（ａ）は、第２の閉状態を示すイメージ図であり、（ｂ）は（ａ）の状態から、スライドの程度によって、伸展状態を変化させたときのイメージ図であり、（ｃ）は（ｂ）の状態からさらに進展させたときのイメージ図である。
【図１１】端末形状に応じた機能実現の一覧表である。
【図１２】（ａ）は第２の閉状態を示すイメージ図であり、（ｂ）はスライドさせてスクロールを行ったときのイメージ図である。
【図１３】入力部の有するキーの配置を変更させた例のイメージ図である。
【符号の説明】
【００８８】
１    携帯端末
２    表示部
３    入力部
３ａ  側面キー
３ｂ  側面キー
３ｃ  側面キー
３ｄ  側面キー
３ｅ  テンキー
３ｆ  機能キー
４    アンテナ
５    メモリ
６    制御部  
６ａ  主制御部
７    無線部  
８    変復調部
９    ベースバンド処理部
１０  マイク
１１  スピ−カ
１２  カメラ
１３  端末形状検知部
１４  上部筐体
１５  下部筐体
１６  上端部
１７  下端部
１８  凹部（上部筐体側）
１９  凹部（下部筐体側）
２０  可動ヒンジ
２０１  回転用接続部
２０１ａ  軸部
２０１ｂ  ギア部
２０１ｃ  回転用接続部受け部
２０１ｄ  ギア用スライドボード
２０２  スライド用接続部
２０２ａ  電気端子
２０２ｂ  導電部分
２０２ｃ  絶縁部分
２０２ｄ  電気端子
２０２ｅ  電気配線
２０３  配線素材
２０４  電気配線
２１  レール
２２  可動ヒンジ回転角度検出部
２３  可動ヒンジ位置検出部
【図１】
0004483750.tif 000002
【図２】
0004483750.tif 000003
【図３】
0004483750.tif 000004
【図４】
0004483750.tif 000005
【図５】
0004483750.tif 000006
【図６】
0004483750.tif 000007
【図７】
0004483750.tif 000008
【図８】
0004483750.tif 000009
【図９】
0004483750.tif 000010
【図１０】
0004483750.tif 000011
【図１１】
0004483750.tif 000012
【図１２】
0004483750.tif 000013
【図１３】
0004483750.tif 000014